(57)【要約】【課題】遊技客あるいは遊技店に負担を強いることなく、複数の遊技店における会員情報を遊技客に対して確実に閲覧させること。【解決手段】各遊技店に設置された会員登録端末装置では、遊技客が遊技店で会員登録をする際に、遊技店を一意に識別する店舗識別子と、遊技店における遊技客の会員識別子をあらわす会員識別子とを含んだ店舗会員特定情報を携帯電話機に対して提供し、センタ側装置では、携帯電話機からの登録要求時において遊技客側にとって既知の認証キーとともに店舗会員特定情報を受け取った場合に、遊技客を一意に識別する一元キーを生成し、生成された一元キーと、認証キーとを店舗会員特定情報によって特定される遊技客の会員情報へ関連付け、携帯電話機からの閲覧要求時において認証キーを受け取った場合に、認証キーに関連付けられた一元キーによって特定される遊技客についての会員情報を抽出する。【選択図】        図２
2010069011.tif 000002
【特許請求の範囲】
【請求項１】
遊技客が所持する携帯電話機を遊技店の会員媒体として用い、前記遊技店における遊技客ごとの会員情報を遊技客に対して提供する会員情報提供システムであって、
各遊技店に設置された会員登録端末装置は、
前記遊技客が前記遊技店で会員登録をする際に、当該遊技店を一意に識別する店舗識別子と、当該遊技店における当該遊技客の会員識別子をあらわす会員識別子とを含んだ店舗会員特定情報を前記携帯電話機に対して提供する提供手段
を備え、
各遊技店からネットワーク経由で収集した前記会員情報を遊技店ごとに区分けして管理するセンタ側装置は、
前記携帯電話機からの登録要求時において遊技客側にとって既知の認証キーとともに前記店舗会員特定情報を受け取った場合に、当該遊技客を一意に識別する一元キーを生成する一元キー生成手段と、
前記一元キー生成手段によって生成された一元キーと、前記認証キーとを前記店舗会員特定情報によって特定される遊技客の前記会員情報へ関連付ける関連付手段と、
前記携帯電話機からの閲覧要求時において前記認証キーを受け取った場合に、当該認証キーに関連付けられた前記一元キーによって特定される遊技客についての前記会員情報を抽出する抽出手段と
を備えたことを特徴とする会員情報提供システム。
【請求項２】
前記会員登録端末装置の前記提供手段は、
前記店舗会員特定情報を含んだ二次元コードを前記携帯電話機に対して提供するものであって、
前記センタ側装置の前記一元キー生成手段は、
前記二次元コードに含まれる前記店舗会員特定情報を前記携帯電話機から受け取った場合に、前記一元キーを生成することを特徴とする請求項１に記載の会員情報提供システム。
【請求項３】
前記会員登録端末装置の前記提供手段は、
前記店舗会員特定情報を含んだデータを、前記携帯電話機、前記会員登録端末装置および前記センタ側装置による三者間通信にて、前記携帯電話機に対して提供することを特徴とする請求項１に記載の会員情報提供システム。
【請求項４】
前記センタ側装置の前記関連付手段は、
前記携帯電話機のメールアドレスを前記認証キーとして用いることを特徴とする請求項１、２または３に記載の会員情報提供システム。
【請求項５】
前記センタ側装置の前記関連付手段は、
前記携帯電話機の携帯電話機識別子を前記認証キーとして用いることを特徴とする請求項１、２または３に記載の会員情報提供システム。
【請求項６】
前記センタ側装置の前記一元キー生成手段は、
前記一元キーに対して既に関連付けられた前記認証キーとともにあらたな前記店舗会員特定情報を受け取った場合には、あらたな一元キーの生成を行わず、
前記センタ側装置の関連付手段は、
前記一元キー生成手段が、前記一元キーに対して既に関連付けられた前記認証キーとともにあらたな前記店舗会員特定情報を受け取った場合には、受け取った前記店舗会員特定情報を当該一元キーと関連付けることを特徴とする請求項１〜５のいずれか一つに記載の会員情報提供システム。
【請求項７】
前記店舗識別子は、
同一系列の店舗であることを示す系列識別子と同一系列に属する各店舗を識別する店舗識別子とを含むものであって、
前記センタ側装置の前記抽出手段は、
前記携帯電話機から前記認証キーを受け取った場合に、当該認証キーと関連付けられた前記店舗会員特定情報に基づき、当該店舗会員特定情報と同一系列に属する各店舗についての前記会員情報を抽出することを特徴とする請求項１〜６のいずれか一つに記載の会員情報提供システム。
【請求項８】
遊技客が所持する携帯電話機を遊技店の会員媒体として用い、前記遊技店における遊技客ごとの会員情報を遊技客に対して提供する会員情報提供方法であって、
前記遊技客が前記遊技店で会員登録をする際に、当該遊技店を一意に識別する店舗識別子と、当該遊技店における当該遊技客の会員識別子をあらわす会員識別子とを含んだ店舗会員特定情報を各遊技店に設置された会員登録端末装置が前記携帯電話機に対して提供する提供工程と、
前記携帯電話機経由からの登録要求時において遊技客側にとって既知の認証キーとともに前記店舗会員特定情報を受け取った場合に、当該遊技客を一意に識別する一元キーを、各遊技店からネットワーク経由で収集した前記会員情報を遊技店ごとに区分けして一括管理するセンタ側装置が生成する一元キー生成工程と、
前記一元キー生成工程によって生成された一元キーと、前記認証キーとを前記店舗会員特定情報によって特定される遊技客の前記会員情報へ関連付ける関連付工程と、
前記携帯電話機からの閲覧要求時において前記認証キーを受け取った場合に、当該認証キーに関連付けられた前記一元キーによって特定される遊技客についての前記会員情報を抽出する抽出工程と
を含んだことを特徴とする会員情報提供方法。
【発明の詳細な説明】
【技術分野】
【０００１】
この発明は、遊技客が所持する携帯電話機を遊技店の会員媒体として用い、遊技店における遊技客ごとの会員情報を遊技客に対して提供する会員情報提供システムおよび会員情報提供方法に関し、特に、遊技客あるいは遊技店に負担を強いることなく、複数の遊技店における会員情報を遊技客に対して確実に閲覧させることができる会員情報提供システムおよび会員情報提供方法を提供することを目的とする。
【背景技術】
【０００２】
従来から、遊技客が会員登録している遊技店（ホール）における会員情報（たとえば、貯玉や来店回数など）をＷｅｂサイトで閲覧させることが行われている。この場合、Ｗｅｂサイトでは、遊技客が遊技店における会員登録時に遊技店へ登録したメールアドレスや、遊技店から交付された会員番号などをログインＩＤとして用いることが多い。そして、かかるログインＩＤを用いてアクセス者（遊技客）の認証を行うことが一般的である。
【０００３】
ここで、遊技客のメールアドレスをログインＩＤとして用いる場合、遊技店側では、会員申込書などに書き込まれたメールアドレスをＷｅｂサイトへ正しく入力する必要がある。しかし、運用上、会員申込書にメールアドレスが書き込まれていなかったり、書き込まれたメールアドレスが間違っていたり、遊技店側がＷｅｂサイトへの登録を忘れてしまったりすると、遊技客がＷｅｂサイトへのアクセスに失敗してしまうことになる。
【０００４】
ところで、遊技客は、複数の遊技店の会員となる場合も多く、このような場合に、遊技店ごとにＷｅｂサイトアクセス用のログインＩＤが異なると、遊技客の利便性を損なうことになる。このため、特許文献１には、複数の遊技店に対応するログインＩＤが同一の場合に、同一のログインＩＤを用いて該当する遊技店の会員情報を閲覧させる技術が開示されている。
【０００５】
【特許文献１】特開２００５−１６８６２８号公報
【発明の開示】
【発明が解決しようとする課題】
【０００６】
しかしながら、特許文献１に開示されている技術を用いた場合であっても、上記したログインＩＤの登録間違いは発生するので、遊技客がＷｅｂサイトへのログインに失敗するおそれがあり、遊技客の利便性を十分に高めているとはいえない。
【０００７】
たとえば、遊技客が複数の遊技店で同一のログインＩＤ（たとえば、メールアドレス）を登録したと思っている場合であっても、いずれかの遊技店における会員申込書に誤記があったり、いずれかの遊技店でＷｅｂサイトへの登録忘れがあったりすると、遊技客は該当する遊技店の会員情報を閲覧することはできない。
【０００８】
これらのことから、遊技客あるいは遊技店に負担を強いることなく、複数の遊技店における会員情報を遊技客に対して確実に閲覧させることができる会員情報提供システムあるいは会員情報提供方法をいかにして実現するかが大きな課題となっている。
【０００９】
本発明は、上述した従来技術による問題点を解消するためになされたものであって、遊技客あるいは遊技店に負担を強いることなく、複数の遊技店における会員情報を遊技客に対して確実に閲覧させることができる会員情報提供システムおよび会員情報提供方法を提供することを目的とする。
【課題を解決するための手段】
【００１０】
上述した課題を解決し、目的を達成するため、本発明は、遊技客が所持する携帯電話機を遊技店の会員媒体として用い、前記遊技店における遊技客ごとの会員情報を遊技客に対して提供する会員情報提供システムであって、各遊技店に設置された会員登録端末装置は、前記遊技客が前記遊技店で会員登録をする際に、当該遊技店を一意に識別する店舗識別子と、当該遊技店における当該遊技客の会員識別子をあらわす会員識別子とを含んだ店舗会員特定情報を前記携帯電話機に対して提供する提供手段を備え、各遊技店からネットワーク経由で収集した前記会員情報を遊技店ごとに区分けして管理するセンタ側装置は、前記携帯電話機経由からの登録要求時において遊技客側にとって既知の認証キーとともに前記店舗会員特定情報を受け取った場合に、当該遊技客を一意に識別する一元キーを生成する一元キー生成手段と、前記一元キー生成手段によって生成された一元キーと、前記認証キーとを前記店舗会員特定情報によって特定される遊技客の前記会員情報へ関連付ける関連付手段と、前記携帯電話機からの閲覧要求時において前記認証キーを受け取った場合に、当該認証キーに関連付けられた前記一元キーによって特定される遊技客についての前記会員情報を抽出する抽出手段とを備えたことを特徴とする。
【００１１】
また、本発明は、上記の発明において、前記会員登録端末装置の前記提供手段は、前記店舗会員特定情報を含んだ二次元コードを前記携帯電話機に対して提供するものであって、前記センタ側装置の前記一元キー生成手段は、前記二次元コードに含まれる前記店舗会員特定情報を前記携帯電話機から受け取った場合に、前記一元キーを生成することを特徴とする。
【００１２】
また、本発明は、上記の発明において、前記会員登録端末装置の前記提供手段は、前記店舗会員特定情報を含んだデータを、前記携帯電話機、前記会員登録端末装置および前記センタ側装置による三者間通信にて、前記携帯電話機に対して提供することを特徴とする。
【００１３】
また、本発明は、上記の発明において、前記センタ側装置の前記関連付手段は、前記携帯電話機のメールアドレスを前記認証キーとして用いることを特徴とする。
【００１４】
また、本発明は、上記の発明において、前記センタ側装置の前記関連付手段は、前記携帯電話機の携帯電話機識別子を前記認証キーとして用いることを特徴とする。
【００１５】
また、本発明は、上記の発明において、前記センタ側装置の前記一元キー生成手段は、前記一元キーに対して既に関連付けられた前記認証キーとともにあらたな前記店舗会員特定情報を受け取った場合には、あらたな一元キーの生成を行わず、前記センタ側装置の関連付手段は、前記一元キー生成手段が、前記一元キーに対して既に関連付けられた前記認証キーとともにあらたな前記店舗会員特定情報を受け取った場合には、受け取った前記店舗会員特定情報を当該一元キーと関連付けることを特徴とする。
【００１６】
また、本発明は、上記の発明において、前記店舗識別子は、同一系列の店舗であることを示す系列識別子と同一系列に属する各店舗を識別する店舗識別子とを含むものであって、前記センタ側装置の前記抽出手段は、前記携帯電話機から前記認証キーを受け取った場合に、当該認証キーと関連付けられた前記店舗会員特定情報に基づき、当該店舗会員特定情報と同一系列に属する各店舗についての前記会員情報を抽出することを特徴とする。
【００１７】
また、本発明は、遊技客が所持する携帯電話機を遊技店の会員媒体として用い、前記遊技店における遊技客ごとの会員情報を遊技客に対して提供する会員情報提供方法であって、前記遊技客が前記遊技店で会員登録をする際に、当該遊技店を一意に識別する店舗識別子と、当該遊技店における当該遊技客の会員識別子をあらわす会員識別子とを含んだ店舗会員特定情報を各遊技店に設置された会員登録端末装置が前記携帯電話機に対して提供する提供工程と、前記携帯電話機からの登録要求時において遊技客側にとって既知の認証キーとともに前記店舗会員特定情報を受け取った場合に、当該遊技客を一意に識別する一元キーを、各遊技店からネットワーク経由で収集した前記会員情報を遊技店ごとに区分けして一括管理するセンタ側装置が生成する一元キー生成工程と、前記一元キー生成工程によって生成された一元キーと、前記認証キーとを前記店舗会員特定情報によって特定される遊技客の前記会員情報へ関連付ける関連付工程と、前記携帯電話機からの閲覧要求時において前記認証キーを受け取った場合に、当該認証キーに関連付けられた前記一元キーによって特定される遊技客についての前記会員情報を抽出する抽出工程と含んだことを特徴とする。
【発明の効果】
【００１８】
本発明によれば、各遊技店に設置された会員登録端末装置は、遊技客が遊技店で会員登録をする際に、遊技店を一意に識別する店舗識別子と、遊技店における遊技客の会員識別子をあらわす会員識別子とを含んだ店舗会員特定情報を携帯電話機に対して提供し、各遊技店からネットワーク経由で収集した会員情報を遊技店ごとに区分けして管理するセンタ側装置は、携帯電話機からの登録要求時において遊技客側にとって既知の認証キーとともに店舗会員特定情報を受け取った場合に、遊技客を一意に識別する一元キーを生成し、生成された一元キーと、認証キーとを店舗会員特定情報によって特定される遊技客の会員情報へ関連付け、携帯電話機からの閲覧要求時において認証キーを受け取った場合に、認証キーに関連付けられた一元キーによって特定される遊技客についての会員情報を抽出することとしたので、遊技客あるいは遊技店に負担を強いることなく、複数の遊技店における会員情報を遊技客に対して確実に閲覧させることができるという効果を奏する。
【００１９】
また、本発明によれば、店舗会員特定情報を含んだ二次元コードを携帯電話機に対して提供するものであって、二次元コードに含まれる店舗会員特定情報を携帯電話機から受け取った場合に、一元キーを生成することとしたので、店舗会員特定情報を伝達する媒体として二次元コードを用いることで、情報の伝達を確実に行うことができるとともに、遊技客あるいは遊技店に対する負荷を軽減することができるという効果を奏する。
【００２０】
また、本発明によれば、店舗会員特定情報を含んだデータを、携帯電話機、会員登録端末装置およびセンタ側装置による三者間通信にて、携帯電話機に対して提供することとしたので、店舗会員特定情報を三者間通信で提供することで、情報の伝達を確実に行うことができるとともに、遊技客あるいは遊技店に対する負荷を軽減することができるという効果を奏する。
【００２１】
また、本発明によれば、携帯電話機のメールアドレスを認証キーとして用いることとしたので、遊技客側にとって既知の認証キーとしてメールアドレスを用いることで、会員情報閲覧時のログイン操作が容易となり、遊技客の利便性を高めることができるという効果を奏する。また、センタ側装置は、たとえば、かかるメールアドレスを携帯電話機から単にメールを受信するだけで取得することができるという効果を奏する。
【００２２】
また、本発明によれば、携帯電話機の携帯電話機識別子を認証キーとして用いることとしたので、遊技客側にとって既知の認証キーとして携帯電話機識別子を用いることで、会員情報閲覧時のログイン操作が容易となり、遊技客の利便性を高めることができるという効果を奏する。
【００２３】
また、本発明によれば、一元キーに対して既に関連付けられた認証キーとともにあらたな店舗会員特定情報を受け取った場合には、あらたな一元キーの生成を行わず、一元キーに対して既に関連付けられた認証キーとともにあらたな店舗会員特定情報を受け取った場合には、受け取った店舗会員特定情報をこの一元キーと関連付けることとしたので、遊技客が複数の遊技店の会員となった場合であっても、複数の遊技店の会員情報を遊技客に対して確実に閲覧させることができるという効果を奏する。
【００２４】
また、本発明によれば、店舗識別子は、同一系列の店舗であることを示す系列識別子と同一系列に属する各店舗を識別する店舗識別子とを含むものであることとしたうえで、携帯電話機から認証キーを受け取った場合に、この認証キーと関連付けられた店舗会員特定情報に基づき、この店舗会員特定情報と同一系列に属する各店舗についての会員情報を抽出することとしたので、遊技客の利便性を高めることができるという効果を奏する。
【発明を実施するための最良の形態】
【００２５】
以下に添付図面を参照して、本発明に係る会員情報提供システムおよび会員情報提供方法の実施例を詳細に説明する。なお、以下の説明では、各店舗（ホールなどの遊技店）における会員情報として貯玉情報を提供する場合について説明する。ここで、貯玉とは、遊技媒体を換金したり景品交換したりすることなくホールに預けておくことを指す。なお、貯玉情報以外の会員情報としては、たとえば、イベント情報や、来店回数情報などがある。
【００２６】
また、以下では、携帯会員システムが、各遊技店で稼働していることを前提として説明を行うこととする。ここで、携帯会員システムとは、遊技店の会員カードの代わりに携帯電話機を用いて会員登録を行うとともに、種々の会員サービスを提供する会員システムのことを指す。
【実施例】
【００２７】
まず、本実施例に係る会員情報提供システム１の概要について図１を用いて説明する。図１は、本実施例に係る会員情報提供システム１の概要を示す図である。同図に示すように、会員情報提供システム１は、店舗（遊技店）ごとの貯玉情報を管理している。なお、同図では、Ｘさんについての貯玉情報のみを示しているが、他の会員の貯玉情報についても、店舗ごとに区分けして管理されているものとする。
【００２８】
同図に示すように、Ｘさんは、携帯電話機１００を保有しており、たとえば、店舗Ａにて会員登録を行うと、各店舗からＱＲ（Quick  Response）コード（登録商標）などの二次元コード２００を提供される。ここで、二次元コード２００には、各店舗を一意に識別する店舗コード（店舗ＩＤ）と、店舗ごとに割り振られた会員番号とを含んだ店舗会員特定情報が格納されている。
【００２９】
かかる二次元コード２００を提供されたＸさんは、携帯電話機１００で二次元コード２００を読み取り、読み取った二次元コード２００あるいは二次元コード２００に格納された店舗会員特定情報を用いてＷｅｂ会員登録要求を行う（同図の（１）参照）。かかる登録要求を受け付けた会員情報提供システム１は、Ｗｅｂ会員を一意に識別するＷｅｂ管理ＩＤ（以下、「一元キー」と記載する）を生成する（同図の（２）参照）。
【００３０】
ここで、一元キーとは、各店舗の会員番号とは無関係なキーであり、貯玉情報の閲覧を希望する遊技客ごとにそれぞれ異なるキーが割り振られる。なお、かかる一元キーは、遊技客に提示されることはなく、会員情報提供システム１内でのみ用いられる。
【００３１】
つづいて、会員情報提供システム１は、ＸさんがＷｅｂ会員登録要求を行った際に使用した携帯電話機１００のメールアドレス等を認証キーとして一元キーと対応付ける（同図の（３）参照）。
【００３２】
ここで、認証キーとは、遊技客側にとって既知のキーであり、たとえば、メールアドレスや携帯電話機の識別番号あるいは遊技客が設定したパスワードといった遊技客を特定する番号や記号を指す。かかる認証キーは、遊技客がＷｅｂサイトで貯玉情報などを閲覧する際の認証に用いられることになる。
【００３３】
さらに、会員情報提供システム１は、携帯電話機１００経由で受け取った店舗会員特定情報を一元キーと対応付ける（同図の（４）参照）。このように、Ｘさんが、Ｗｅｂ会員登録要求（新規登録）を行った場合には、一元キーの生成、認証キーの対応付け、店舗会員特定情報の対応付けが行われる。
【００３４】
なお、Ｘさんが、あらたに会員となった店舗を追加したい場合（追加登録）には、会員情報提供システム１にアクセスすると、既存の一元キーと、あらたに通知された店舗会員特定情報とが関連付けられることになる。
【００３５】
たとえば、Ｘさんが、あらたに店舗Ｂの会員となり、店舗Ｂが会員番号として「９０００２」を割り当てた場合、Ｘさんは、店舗Ｂから提供された二次元コード２００を携帯電話機１００で読み込み、読み込んだ情報を会員情報提供システム１へ登録する。そして、会員情報提供システム１では、あらたに通知された店舗会員特定情報を既存の一元キーと対応付ける。
【００３６】
このようにすることで、同図に示したように、店舗Ａにおける会員番号（同図では「００００１」）と、店舗Ｂにおける会員番号（同図では「９０００２」）とが異なる場合であっても、Ｘさんは、同一の認証キー（たとえば、メールアドレス）で会員情報を閲覧することができる。
【００３７】
そして、Ｘさんが貯玉情報を閲覧する場合には、上記した認証キー（たとえば、メールアドレス）でＷｅｂサイトへアクセスする（同図の（５）参照）。会員情報提供システム１は、認証キーを一元キーへ変換し、変換した一元キーと対応付けられた各店舗会員特定情報を用いてＸさんの各店舗における貯玉情報を抽出する。
【００３８】
そして、Ｘさんの各店舗における貯玉情報をＸさんへ提供する（同図の（６）参照）。たとえば、同図に示した場合では、Ｘさんは、店舗Ａに貯玉が１００玉あり、店舗Ｂに貯玉が３３０玉ある旨を閲覧することができる。
【００３９】
このように、本実施例に係る会員情報提供システム１では、遊技客が複数の店舗においてそれぞれ異なる会員番号が付与されている場合であっても、各遊技店における店舗会員特定情報を一元キーで対応付ける。そして、遊技客からは遊技客側にとって既知の認証キーで一元キーへアクセスさせることとした。
【００４０】
したがって、本実施例に係る会員情報提供システム１によれば、遊技客あるいは遊技店に負担を強いることなく、複数の遊技店における会員情報を遊技客に対して確実に閲覧させることができる。
【００４１】
図２は、本実施例に係る会員情報提供システム１の構成を示すブロック図である。同図に示すように、会員情報提供システム１は、会員登録端末装置１０と、センタ側装置２０とを備えている。なお、センタ側装置２０については、複数のサーバ装置で構成することもできるが、この点については、図１０を用いて後述することとする。
【００４２】
また、同図には、携帯電話機１００および会員管理Ｔ／Ｃ（ターミナルコントローラ）３００を示しているが、これらの装置としては、携帯会員システムで一般的に用いられている装置を用いることができる。
【００４３】
携帯電話機１００は、少なくとも二次元コード２００の読み取り機能、メール機能、Ｗｅｂサイト閲覧機能を備えた携帯電話機である。また、会員管理Ｔ／Ｃ３００は、各遊技店に設置され、遊技店における貯玉情報などの会員情報を管理したり、遊技店内に設置された遊技台や、台間機、精算機、景品交換機といった各装置を管理したりする装置である。また、会員管理Ｔ／Ｃ３００は、貯玉情報をセンタ側装置２０へ通知する処理を併せて行うものとする。
【００４４】
図２に示したように、会員登録端末装置１０は、遊技客が会員カード代わりに用いる携帯電話機１００と通信することで会員登録を行う装置である。この会員登録端末装置１０は、会員受付部１１と、二次元コード生成部１２と、印字部１３とを備えている。
【００４５】
会員受付部１１は、携帯電話機１００と通信することで、会員登録端末装置１０が設置されている遊技店に対する会員登録を行う処理部である。会員受付部１１は、たとえば、携帯電話機１００に割り当てられている製造番号などの携帯電話機識別子（以下、「携帯識別子」と記載する）を受け取り、受け取った携帯識別子に対応付けられた会員番号を発行する。なお、会員受付部１１が発行した会員番号は、会員管理Ｔ／Ｃ３００経由でセンタ側装置２０へ通知される。
【００４６】
二次元コード生成部１２は、遊技店を一意に識別する店舗コード、会員受付部１１が発行した会員番号、会員受付部１１経由で受け取った携帯電話機１００の携帯識別子、遊技客が会員情報提供システム１のサービスを受ける際にアクセスするＷｅｂサイトのＵＲＬ（Uniform  Resource  Locator）などの情報を埋め込んだ二次元コード２００を生成する処理を行う処理部である。
【００４７】
また、二次元コード生成部１２は、生成した二次元コード２００を印字部１３へ通知する処理を併せて行う。ここで、二次元コード生成部１２が生成する二次元コード２００としては、たとえば、ＱＲコード（登録商標）を用いることができる。
【００４８】
印字部１３は、二次元コード生成部１２が生成した二次元コード２００をレシートなどに印字する処理を行う処理部である。かかるレシートを受け取った遊技客は、レシートに印字された二次元コード２００を携帯電話機１００で読み取ることになる。
【００４９】
なお、本実施例では、レシートに印字された二次元コード２００を携帯電話機１００で読み取る場合について示すが、会員登録端末装置１０の図示しない表示部へ二次元コード２００を表示し、表示された二次元コードを携帯電話機１００で読み取らせることとしてもよい。
【００５０】
センタ側装置２０は、各遊技店（ホール）から貯玉情報を収集する処理を行うとともに、遊技客に対して貯玉情報閲覧サービスを提供する処理を行う。図２に示したように、センタ側装置２０は、店舗情報管理部２１と、貯玉情報ＤＢ（データベース）２２と、Ｗｅｂ検索情報ＤＢ（データベース）２３と、Ｗｅｂアクセス制御部２４とを備えている。
【００５１】
また、店舗情報管理部２１は、貯玉情報収集部２１ａをさらに備えており、Ｗｅｂアクセス制御部２４は、登録受付部２４ａと、一元キー生成部２４ｂと、認証キー対応付部２４ｃと、店舗会員特定情報対応付部２４ｄと、閲覧受付部２４ｅと、抽出部２４ｆとをさらに備えている。
【００５２】
店舗情報管理部２１は、各遊技店から通知された情報を遊技店ごとに区分けして管理する処理を行う処理部である。また、貯玉情報収集部２１ａは、各遊技店に設置された会員管理Ｔ／Ｃ３００から貯玉情報を収集し、貯玉情報ＤＢ２２へ登録する。ここで、貯玉情報ＤＢ２２におけるデータ構成の一例について図３を用いて説明しておく。
【００５３】
図３は、貯玉情報ＤＢ２２におけるデータ構成を示す図である。同図に示すように、貯玉情報ＤＢ２２では、店舗ごとに、店舗に所属する会員の会員番号、貯玉数、ポイントといった情報が管理されている。
【００５４】
たとえば、店舗コードが「Ａ０１」である店舗の店舗名は「ホールＡＡＡ」であり、会員番号が「００００１」である会員の貯玉数は「１００玉」、ポイントは「１０Ｐ」である。
【００５５】
また、店舗コードが「Ｂ０１」である店舗の店舗名は「ホールＢＢＢ」であり、会員番号が「９０００２」である会員の貯玉数は「３３０玉」、ポイントは「２３Ｐ」である。なお、貯玉情報ＤＢ２２には、図３に例示したデータと同様に、店舗ごとに区分けして各店舗に係る会員についての貯玉情報が管理されるものとする。
【００５６】
図２の説明に戻り、Ｗｅｂ検索情報ＤＢ２３について説明する。Ｗｅｂ検索情報ＤＢ２３は、Ｗｅｂアクセス制御部２４経由で遊技客が自己の貯玉情報を検索する場合に、Ｗｅｂアクセス制御部２４の抽出部２４ｆが、貯玉情報ＤＢ２２を検索するために用いる検索条件を記憶するデータベースである。
【００５７】
また、Ｗｅｂ検索情報ＤＢ２３に記憶される検索条件は、遊技客がＷｅｂサイトを閲覧するためにＷｅｂ会員の新規登録を行う場合や、あらたな店舗会員特定情報を追加登録する場合に、Ｗｅｂアクセス制御部２４によって更新される。ここで、Ｗｅｂ検索情報ＤＢ２３のデータ構成について図４を用いて説明しておく。
【００５８】
図４は、Ｗｅｂ検索情報ＤＢ２３におけるデータ構成を示す図である。同図の（１）に示したように、Ｗｅｂ検索情報ＤＢ２３は、「Ｗｅｂ会員特定情報」項目と、「店舗会員特定情報」項目とを含んでいる。
【００５９】
また、「Ｗｅｂ会員特定情報」項目は、「一元キー」項目と、「認証キー」項目とをさらに含んでおり、「認証キー」項目は、「メールアドレス」項目と、「携帯識別子」項目と、「パスワード」項目とをさらに含んでいる。そして、「店舗会員特定情報」項目は、「店舗コード」項目と、「会員番号」項目とをさらに含んでいる。
【００６０】
Ｗｅｂ会員特定情報は、Ｗｅｂアクセス制御部２４で割り当てられる検索条件であり、一元キーは、特定の遊技客についてはじめての登録（新規登録）が行われた場合に、一元キー生成部２４ｂによって生成されるキーである。
【００６１】
この一元キーは、各店舗の会員番号とは無関係なキーであり、貯玉情報の閲覧を希望する遊技客ごとにそれぞれ異なるキーが割り振られる。なお、かかる一元キーは、遊技客に提示されることはなく、センタ側装置２０内でのみ用いられる。
【００６２】
また、認証キーは、遊技客側にとって既知な情報、たとえば、携帯電話機１００のメールアドレスや携帯識別子、遊技客が設定したパスワードであり、特定の遊技客について、はじめての登録（新規登録）が行われた場合に、遊技客側から通知される。
【００６３】
ここで、遊技客が貯玉情報の閲覧を希望する場合の認証は、認証キーに含まれるメールアドレスとパスワードとの組み合わせ、または、携帯識別子で行われるが、携帯識別子とパスワードとの組み合わせで認証を行うこととしてもよい。
【００６４】
このようにして、閲覧時の認証に成功すると、遊技客は貯玉情報閲覧用のＷｅｂページへログインすることが可能となる。一方、店舗登録時の認証は、メールアドレスのみで行われる。
【００６５】
店舗会員特定情報は、携帯電話機１００経由でセンタ側装置２０へ通知される情報であり、会員登録端末装置１０によって携帯端末装置１００へ提供される二次元コード２００に由来する情報である。なお、店舗コードは、各店舗（遊技店）を識別する識別子であり、会員番号は、店舗ごとに付与された会員番号である。
【００６６】
たとえば、店舗コードが「Ａ０１」の店舗（遊技店）で「００００１」という会員番号を付与された遊技客が、センタ側装置２０に対して新規登録を行う場合には、同図に示すデータ４１が、Ｗｅｂアクセス制御部２４によってＷｅｂ検索情報ＤＢ２３へ登録される。
【００６７】
なお、データ４１では、一元キーとして「ＸＹＺ１１１１１」が割り振られ、認証キーとしては、メールアドレス「ａｂｃ＠ｄｅｆ．ｎｅ．ｊｐ」と、携帯識別子「ＦＦＦＦＦ」と、パスワード「１２１１」とが登録されている。なお、同図に示した一元キー「ＱＱＱ８８８８８」に対応する認証キーのように、携帯識別子の登録を省略することとしてもよい。
【００６８】
また、データ４１に対応する遊技客（一元キーとして「ＸＹＺ１１１１１」が割り振られた遊技客）が、あらたに会員となった店舗（遊技店）を追加する場合には、同図の（２）に示したように、あらたにデータ４２が追加される。なお、データ４２は、店舗コードが「Ｂ０１」の店舗（遊技店）で「９０００２」という会員番号を付与されたことを示している。
【００６９】
このように、Ｗｅｂ検索情報ＤＢ２３では、Ｗｅｂ会員特定情報と店舗会員特定情報とが関連付けられて記憶されており、いったん一元キーを付与された遊技客があらたな店舗会員特定情報を追加する場合には、あらたな店舗会員特定情報が一元キーに対応付けられる。
【００７０】
図２の説明に戻り、Ｗｅｂアクセス制御部２４について説明する。Ｗｅｂアクセス制御部２４は、携帯電話機１００経由で、Ｗｅｂ会員の新規登録や店舗会員特定情報の追加登録、貯玉情報閲覧などのＷｅｂサービスを提供する処理を行う処理部である。
【００７１】
登録受付部２４ａは、携帯電話機１００経由でＷｅｂ会員の新規登録および店舗会員特定情報の追加登録を受け付ける処理を行う処理部である。なお、登録受付部２４ａは、たとえば、携帯電話機１００から通知されたメールアドレスが、Ｗｅｂ検索情報ＤＢ２３の認証キーとして既に登録されているか否かを判定する。
【００７２】
そして、メールアドレスが登録されていない場合には新規登録であるとして、一元キーの生成を一元キー生成部２４ｂへ指示する。一方、メールアドレスが既に登録されている場合には、追加登録であるとして、あらたな店舗会員特定情報の対応付けを店舗会員特定情報対応付部２４ｄへ指示する。
【００７３】
一元キー生成部２４ｂは、登録受付部２４ａから新規登録である旨の通知を受けた場合に、あらたな一元キーを生成する処理を行う処理部である。また、認証キー対応付部２４ｃは、たとえば、登録受付部２４ａ経由で受け取ったメールアドレスを認証キーとしたうえで、一元キー生成部２４ｂであらたに生成された一元キーと対応付ける。
【００７４】
また、店舗会員特定情報対応付部２４ｄは、登録受付部２４ａ経由で受け取った店舗会員特定情報を、該当する一元キーと対応付ける処理を行う処理部である。なお、店舗会員特定情報対応付部２４ｄは、新規登録の場合には、店舗会員特定情報を一元キー生成部２４ｂであらたに生成された一元キーと対応付ける。
【００７５】
一方、追加登録の場合には、店舗会員特定情報の送信元メールアドレスと一致する認証キーをＷｅｂ検索情報２３から検出したうえで、あらたな店舗会員特定情報を、検出した認証キーに対応する一元キーと対応付ける。
【００７６】
閲覧受付部２４ｅは、Ｗｅｂ会員の登録処理を済ませた遊技客に対して貯玉情報閲覧サービスを提供する処理を行う処理部である。閲覧受付部２４ｅは、たとえば、Ｗｅｂサイトのログイン画面で認証キーの入力を受け付けたならば、受け付けた認証キーがＷｅｂ検索情報ＤＢ２３にあるか否かを検索し、該当する認証キーが見つかった場合に、遊技客に対してログインを許可する。
【００７７】
抽出部２４ｆは、Ｗｅｂ検索情報ＤＢ２３を用いて貯玉情報ＤＢ２２を検索することで、特定の遊技客に係る貯玉情報を抽出する処理を行う処理部である。たとえば、図４の（２）に示したように、認証キーに含まれるメールアドレスが「ａｂｃ＠ｄｅｆ．ｎｅ．ｊｐ」である遊技客の場合には、店舗コードが「Ａ０１」である店舗の会員番号が「００００１」であり、店舗コードが「Ｂ０１」である店舗の会員番号が「９０００２」である。
【００７８】
このような場合、閲覧受付部２４ｅが、認証キーが「ａｂｃ＠ｄｅｆ．ｎｅ．ｊｐ」である遊技客の認証に成功すると、抽出部２４ｆは、店舗コードが「Ａ０１」で店舗の会員番号が「００００１」である会員の貯玉数（図３では「１００玉」）と、店舗コードが「Ｂ０１」で店舗の会員番号が「９０００２」である会員の貯玉数（図３では「３３０玉」）とを抽出することになる。
【００７９】
次に、会員登録端末装置１０／携帯電話機１００間の処理概要について図５を用いて説明する。図５は、会員登録端末装置１０／携帯電話機１００間の処理概要を示す図である。同図の（Ａ）に示したように、遊技客が携帯電話機１００を用いて店舗会員登録を行うと（同図の（Ａ−１）参照）、会員登録端末装置１０は、二次元コード２００付きレシートを発行する（同図の（Ａ−２）参照）。
【００８０】
ここで、二次元コード２００には、店舗コード（同図では「Ａ０１」）、会員番号（同図では「００００１」）、携帯識別子（同図では「ＢＢＢＢＢ」）、貯玉情報閲覧サービスを提供するＷｅｂサイトのＵＲＬ（同図では、「ｈｔｔｐ：／／ｗｗｗ〜」）が含まれる。
【００８１】
つづいて、同図の（Ｂ）に示したように、携帯電話機１００は、レシートに印字された二次元コード２００を撮像し（同図の（Ｂ−１）参照）、二次元コード２００に含まれる情報を取得する（同図の（Ｂ−２）参照）。
【００８２】
次に、遊技客がセンタ側装置２０に対してＷｅｂ会員登録を行う場合の処理概要について図６を用いて説明する。図６は、Ｗｅｂ会員登録時におけるセンタ側装置２０／携帯電話機１００間の処理概要を示す図である。なお、同図の（Ａ）には、Ｗｅｂ会員登録（新規登録）を行う場合の処理概要を、同図の（Ｂ）には、店舗会員特定情報の追加登録を行う場合の処理概要を、それぞれ示している。
【００８３】
同図の（Ａ）に示したように、遊技客は、携帯電話機１００を用いて二次元コード２００に含まれる情報を含んだメールをセンタ側装置２０へ送信する（同図の（Ａ−１）参照）。なお、同図の（Ａ）に示した店舗コードおよび会員番号は、図５に示したものと同一であり、送信元アドレスは、携帯電話機１００のメールアドレスである。
【００８４】
かかるメールを受け取ったセンタ側装置２０では、一元キー生成部２４ｂが一元キーを生成する（同図の（Ａ−２）参照）。つづいて、センタ側装置２０では、遊技客によるパスワードの入力を受け付けてパスワードを生成し（同図の（Ａ−３）参照）、遊技客が携帯識別子を設定した場合には、携帯識別子を生成する（同図の（Ａ−４）参照）。なお、同図の（Ａ−４）に示した手順は、任意手順であり、省略することとしてもよい。
【００８５】
そして、センタ側装置２０では、メールの送信元アドレスと、パスワードと、携帯識別子との組み合わせを認証キーとしたうえで（同図の（Ａ−５）参照）、認証キー対応付部２４ｃおよび店舗会員特定情報対応付部２４ｄが、一元キー、認証キー、店舗コード、会員番号を関連付け（同図の（Ａ−４）参照）、Ｗｅｂ検索情報ＤＢ２３へ登録する。
【００８６】
また、同図の（Ｂ）に示したように、店舗会員特定情報の追加登録を行う場合には、遊技客は携帯電話機１００を用いて二次元コード２００に含まれる情報を含んだメールをセンタ側装置２０へ送信する（同図の（Ｂ−１）参照）。ここで、同図の（Ｂ）に示した店舗コードおよび会員番号は、同図の（Ａ）に示したものとは異なるが、送信元アドレスについては、同図の（Ａ）に示したものと同一である。
【００８７】
かかるメールを受け取ったセンタ側装置２０では、受信メールの送信元アドレスが、認証キーとして既にＷｅｂ検索情報ＤＢ２３に登録されているので、送信元アドレスを認証キーとして遊技客の認証を行う（同図の（Ｂ−２）参照）。そして、あらたに受け取った店舗コードおよび会員番号を、同図の（Ａ）で生成した一元キーと関連付ける（同図の（Ｂ−３）参照）。
【００８８】
次に、遊技客がセンタ側装置２０に対してＷｅｂサイト閲覧を行う場合の処理概要について図７を用いて説明する。図７は、Ｗｅｂサイト閲覧時におけるセンタ側装置２０／携帯電話機１００間の処理概要を示す図である。
【００８９】
同図の（Ａ）に示したように、Ｗｅｂ会員登録を既に行った遊技客は、携帯電話機１００を用いてセンタ側装置２０が提供するログイン画面にアクセスし、携帯電話機１００のメールアドレスなどの認証キーを手入力することでログインを行う（同図の（Ａ−１）参照）。
【００９０】
センタ側装置２０では、抽出部２４ｆが、Ｗｅｂ検索情報ＤＢ２３の検索条件を用いて該当する貯玉情報を貯玉情報ＤＢ２２から抽出する（同図の（Ａ−２）参照）。つづいて、センタ側装置２０は、貯玉情報を含んだＷｅｂページを携帯電話機１００へ送信する。これによって、遊技客は、携帯電話機１００経由で貯玉情報閲覧を行うことが可能となる（同図の（Ａ−３）参照）。
【００９１】
なお、同図の（Ａ）では、遊技客が、携帯電話機１００のメールアドレスなどの認証キーを手入力する場合について示したが、かかる手入力を省略することとしてもよい。たとえば、同図の（Ｂ）に示したように、遊技客は、携帯電話機１００からセンタ側装置２０へ空メールを送信する（同図の（Ｂ−１）参照）。
【００９２】
つづいて、センタ側装置２０は、（Ｂ−１）で受信したメールの送信元アドレスを用いてＷｅｂ検索情報ＤＢ２３を検索し、かかる送信元アドレスと一致する認証キーが存在する場合には、認証済みページのＵＲＬを含んだメールを携帯電話機１００へ送信する（同図の（Ｂ−２）参照）。これによって、遊技客は、携帯電話機１００経由で貯玉情報閲覧を行うことが可能となる（同図の（Ｂ−３）参照）。
【００９３】
次に、Ｗｅｂ会員登録時においてセンタ側装置２０が実行する処理手順について図８を用いて説明する。図８は、Ｗｅｂ会員登録時においてセンタ側装置２０が実行する処理手順を示すフローチャートである。同図に示すように、登録受付部２４ａが店舗会員特定情報を含んだメールを受信したならば（ステップＳ１０１）、受信したメールの送信元アドレスがＷｅｂ検索情報ＤＢ２３の認証キーと一致するか否かを判定する（ステップＳ１０２）。
【００９４】
そして、送信元アドレスが認証キーと一致した場合には（ステップＳ１０２，Ｙｅｓ）、追加登録と判定する（ステップＳ１０３）。つづいて、送信元アドレスを認証キーとしたうえで（ステップＳ１０４）、かかる認証キーと対応する一元キーをＷｅｂ検索情報ＤＢ２３で検索する（ステップＳ１０５）。なお、追加登録におけるステップＳ１０４の認証キーにパスワードを含める必要はない。
【００９５】
つづいて、店舗会員特定情報対応付部２４ｄは、受信メールに含まれる店舗会員特定情報を、ステップＳ１０５で検索した一元キーと対応付け（ステップＳ１０６）、Ｗｅｂ検索情報ＤＢ２３のＷｅｂ検索情報を更新して（ステップＳ１０７）処理を終了する。
【００９６】
ところで、ステップＳ１０２の判定条件を満たさなかった場合には（ステップＳ１０２，Ｎｏ）、新規登録と判定する（ステップＳ１０８）。つづいて、一元キー生成部２４ｂは、一元キーを生成する（ステップＳ１０９）。
【００９７】
また、新規登録する遊技客がサイト上で入力したパスワードに従ってパスワードを生成するとともに（ステップＳ１１０）、遊技客が任意入力の携帯識別子を入力した場合には、入力された携帯識別子に従って携帯識別子を生成する（ステップＳ１１１）。
【００９８】
つづいて、認証キー対応付部２４ｃは、送信元アドレスと、パスワードと、携帯識別子との組み合わせを認証キーとしたうえで（ステップＳ１１２）、かかる認証キーをステップＳ１０９で生成した一元キーと対応付ける（ステップＳ１１３）。
【００９９】
また、店舗会員特定情報対応付部２４ｄは、受信メールに含まれる店舗会員特定情報を、ステップＳ１０９で生成した一元キーと対応付け（ステップＳ１１４）、Ｗｅｂ検索情報ＤＢ２３のＷｅｂ検索情報を更新して（ステップＳ１０７）処理を終了する。
【０１００】
次に、Ｗｅｂサイト閲覧時においてセンタ側装置２０が実行する処理手順について図９を用いて説明する。図９は、Ｗｅｂサイト閲覧時においてセンタ側装置２０が実行する処理手順を示すフローチャートである。
【０１０１】
同図に示すように、閲覧受付部２４ｅが、メールアドレスやパスワードといった認証キーを受け取ったならば（ステップＳ２０１）、受け取った認証キーと対応する一元キーをＷｅｂ検索情報ＤＢ２３で検索する（ステップＳ２０２）。
【０１０２】
つづいて、一元キーがＷｅｂ検索情報ＤＢ２３にあった場合には（ステップＳ２０３，Ｙｅｓ）、抽出部２４ｆは、一元キーに対応付けられた店舗会員特定情報をＷｅｂ検索情報ＤＢ２３から取得したうえで（ステップＳ２０４）、貯玉情報ＤＢ２２から貯玉情報を抽出する（ステップＳ２０５）。
【０１０３】
そして、抽出結果を携帯電話機１００へ送信し（ステップＳ２０６）、処理を終了する。なお、ステップＳ２０３の判定条件を満たさなかった場合には（ステップＳ２０３，Ｎｏ）、ログインを不許可として（ステップＳ２０７）処理を終了する。
【０１０４】
ところで、これまでは、センタ側装置２０を１台の装置として構成する場合について説明してきたが、センタ側装置２０を複数の装置として構成することもできる。図１０は、センタ側装置２０の変形例を示すブロック図である。なお、同図では、図２に示した構成要素と同一の構成要素には同一の符号を付している。
【０１０５】
同図に示すように、センタ側装置２０を、センタサーバ装置２０ａと、Ｗｅｂサーバ装置２０ｂとから構成し、各装置をネットワーク経由で接続することができる。この場合、センタサーバ装置２０ａには、店舗情報管理部２１と、貯玉情報ＤＢ２２と、Ｗｅｂ検索情報２３とを配置し、Ｗｅｂサーバ装置２０ｂには、Ｗｅｂアクセス制御部２４を配置することができる。なお、Ｗｅｂ検索情報２３をＷｅｂサーバ装置２０ｂに配置することとしてもよい。
【０１０６】
上述してきたように、本実施例では、各遊技店に設置された会員登録端末装置では、遊技客が遊技店で会員登録をする際に、遊技店を一意に識別する店舗識別子と、遊技店における遊技客の会員識別子をあらわす会員識別子とを含んだ店舗会員特定情報を携帯電話機に対して提供し、各遊技店からネットワーク経由で収集した会員情報を遊技店ごとに区分けして管理するセンタ側装置では、携帯電話機からの登録要求時において遊技客側にとって既知の認証キーとともに店舗会員特定情報を受け取った場合に、遊技客を一意に識別する一元キーを生成し、生成された一元キーと、認証キーとを店舗会員特定情報によって特定される遊技客の会員情報へ関連付け、携帯電話機からの閲覧要求時において認証キーを受け取った場合に、認証キーに関連付けられた一元キーによって特定される遊技客についての会員情報を抽出することとした。
【０１０７】
したがって、遊技客あるいは遊技店に負担を強いることなく、複数の遊技店における会員情報を遊技客に対して確実に閲覧させることができる。
【０１０８】
なお、上述した実施例では、会員登録端末装置が二次元コードを印字したレシートを発行し、携帯電話機では、かかる二次元コードを読み取る場合について示したが、赤外線通信などの通信を用いて携帯電話機へ二次元コードを送信することとしてもよい。
【０１０９】
また、レシートに印字された二次元コードを読み取るのではなく、携帯電話機、会員登録端末装置（もしくは、店内に設置されたいずれかの端末装置）およびセンタ側装置の間で三者間通信を行うことで、登録処理を行うこととしてもよい。
【０１１０】
また、上述した実施例では、遊技客がＷｅｂサイトを閲覧することで貯玉情報を取得する場合について示したが、電子メールで貯玉情報を取得することとしてもよい。たとえば、遊技客はあらかじめ携帯電話機のメールアドレスをセンタ側装置に登録しておく。
【０１１１】
そして、遊技客が貯玉情報を取得する際には、貯玉情報問い合わせ用の空メールをセンタ側装置へ送信し、センタ側装置では、受信した送信元メールアドレスから特定される貯玉情報を集約する。つづいて、センタ側装置は、集約された貯玉情報を返信メールとして送信する。
【０１１２】
また、上述した実施例では、店舗コードおよび会員番号が一致することを条件として貯玉情報を閲覧可能とする場合について示したが、店舗コードが完全に一致しない場合であっても貯玉情報の閲覧を許可することとしてもよい。
【０１１３】
たとえば、店舗コードが「Ａ０１」である店舗が、「Ａチェーン」の系列店（チェーン店）である場合、店舗コードが「Ａ０２」である系列店でのみ会員登録した遊技客について、店舗コードが「Ａ０１」である店舗の貯玉情報を提供することとしてもよい。
【０１１４】
また、店舗コードが「Ａ０２」である系列店でのみ会員登録した遊技客については、貯玉情報を提供し、店舗コードが「Ａ０１」である店舗については、貯玉情報以外の会員情報、たとえば、イベント情報などを提供することとしてもよい。
【産業上の利用可能性】
【０１１５】
以上のように、本発明に係る会員情報提供システムおよび会員情報提供方法は、遊技客あるいは遊技店に負担を強いることなく、複数の遊技店における会員情報を遊技客に対して確実に閲覧させたい場合に有用であり、特に、携帯会員システムと連携して会員情報を提供したい場合に適している。
【図面の簡単な説明】
【０１１６】
【図１】本実施例に係る会員情報提供システムの概要を示す図である。
【図２】本実施例に係る会員情報提供システムの構成を示すブロック図である。
【図３】貯玉情報ＤＢにおけるデータ構成を示す図である。
【図４】Ｗｅｂ検索情報ＤＢにおけるデータ構成を示す図である。
【図５】会員登録端末装置／携帯電話機間の処理概要を示す図である。
【図６】Ｗｅｂ会員登録時におけるセンタ側装置／携帯電話機間の処理概要を示す図である。
【図７】Ｗｅｂサイト閲覧時におけるセンタ側装置／携帯電話機間の処理概要を示す図である。
【図８】Ｗｅｂ会員登録時においてセンタ側装置が実行する処理手順を示すフローチャートである。
【図９】Ｗｅｂサイト閲覧時においてセンタ側装置が実行する処理手順を示すフローチャートである。
【図１０】センタ側装置の変形例を示すブロック図である。
【符号の説明】
【０１１７】
１    会員情報提供システム
１０    会員登録端末装置
１１    会員受付部
１２    二次元コード生成部
１３    印字部
２０    センタ側装置
２０ａ  センタサーバ装置
２０ｂ  Ｗｅｂサーバ装置
２１    店舗情報管理部
２２    貯玉情報ＤＢ
２３    Ｗｅｂ検索情報ＤＢ
２４    Ｗｅｂアクセス制御部
２４ａ  登録受付部
２４ｂ  一元キー生成部
２４ｃ  認証キー対応付部
２４ｄ  店舗会員特定情報対応付部
２４ｅ  閲覧受付部
２４ｆ  抽出部
１００  携帯電話機
２００  二次元コード
３００  会員管理Ｔ／Ｃ（ターミナルコントローラ）
【図１】
2010069011.tif 000003
【図２】
2010069011.tif 000004
【図３】
2010069011.tif 000005
【図４】
2010069011.tif 000006
【図５】
2010069011.tif 000007
【図６】
2010069011.tif 000008
【図７】
2010069011.tif 000009
【図８】
2010069011.tif 000010
【図９】
2010069011.tif 000011
【図１０】
2010069011.tif 000012